(57)【特許請求の範囲】
【請求項１】
パチンコ遊技機の遊技盤に対して設けられ該パチンコ遊技機の遊技演出を奏する遊技演出役物装置であって、
駆動源となる電動モータと、該電動モータからの回転駆動力を受けて回転部位を連続的に回転させる第１演出機構と、該電動モータからの回転駆動力を受けて可動部位を断続的に可動させる第２演出機構と、を備え、
前記電動モータと前記第２演出機構との間の回転駆動力を伝達する区間には、該電動モータと前記第１演出機構との間の回転駆動力を伝達する区間とは相違して、該電動モータからの回転駆動力を該第２演出機構に伝達あるいは遮断する伝達リミット機構が介在されており、
前記伝達リミット機構は、前記可動部位が可動範囲内に存する場合には、該可動部位が該可動範囲の限界に到達するまで前記電動モータから前記第２演出機構に向けた回転駆動力を該第２演出機構に伝達するように構成され、前記可動部位が可動範囲の限界に到達して該可動部位の可動が規制されて前記電動モータから伝達される回転駆動力の伝達トルクが規定の伝達トルクを超えた場合には、該電動モータから前記第２演出機構に向けた回転駆動力の伝達を遮断するように構成されている、ことを特徴とする遊技演出役物装置。
【請求項２】
請求項１に記載の遊技演出役物装置において、
前記第２演出機構の前記可動部位は、該可動部位と一体となるように配設されるラックと、該可動部位の可動を任意の方向に案内するガイド機構と、を備え、
前記ラックは、前記伝達リミット機構を介して前記電動モータから伝達される回転駆動力を出力するピニオンと噛合して、該ピニオンから該回転駆動力を受けることにより前記可動部位を可動させ、
前記ガイド機構には、前記可動部位が可動範囲の限界に到達した場合に、該可動部位の可動を規制するために該可動部位の一部と当たるストッパ部が設けられている、ことを特徴とする遊技演出役物装置。
【請求項３】
請求項１または請求項２に記載の遊技演出役物装置において、
前記第１演出機構の前記回転部位を回転支持する支持部位には、該第１演出機構の該回転部位の回転位置を検出するための回転検出機構が設けられている、ことを特徴とする遊技演出役物装置。
【発明の詳細な説明】
【技術分野】
【０００１】
本発明は、パチンコ遊技機の遊技盤に対して設けられ該パチンコ遊技機による遊技を演出する遊技演出役物装置に関する。
【背景技術】
【０００２】
従来、パチンコ遊技機にあっては、遊技領域が設定される遊技盤に向けて遊技球を発射して、遊技を興ずるように構成されている。このように遊技領域が設けられる遊技盤には、大当りを含む遊技演出に関連付けられて遊技の演出を行うために、一般に「役物」と称される遊技演出役物装置が設けられている（例えば、下記特許文献１参照）。このような遊技演出役物装置は、遊技の演出に関連付けられて動くことにより遊技の興趣を高めようになっている。この遊技演出役物装置は、駆動源となる電動モータを内蔵して構成され、この電動モータの駆動力により可動部分を動かし、遊技の演出を行うようになっている。なお、このような遊技演出役物装置による遊技の演出は、大当りおよび大当りに付随した遊技演出を行うにあたっての各種の装置の制御を行う制御装置にて制御されるようになっている。
【先行技術文献】
【特許文献】
【０００３】
【特許文献１】特開２０１１−１０４２６４号公報
【発明の概要】
【発明が解決しようとする課題】
【０００４】
ところで、上記した遊技演出役物装置にあっては、より遊技の興趣を高めるために、単純な遊技の演出から、複雑化した遊技の演出が求められつつある。すなわち、上記した遊技演出役物装置にあっては、上記した可動部分を複数種類で構成して、この複数種類の可動部分を互いに相違する２種類の可動にて構成したいとの要請がある。具体的には、第１の可動部分を連続的に動かし続けさせるようにした遊技演出と、第２の可動部分を一時的に動かした後に一時的に停止させるようにした遊技演出とを含むように、上記した遊技演出役物装置を構成して、これら２種類の可動構成による遊技演出を同時に奏するようにしたい、との要請がある。
【０００５】
しかしながら、このような２種類の遊技演出を同時に奏するように遊技演出役物装置を構成しようとすると、上記した駆動源となる電動モータを複数設けることが必要となったり、上記した駆動源となる電動モータから出力される回転駆動力を制御することが必要となったりする。そうすると、上記した遊技演出役物装置の構成は複雑化してしまい、遊技演出役物装置のコストは高価なものとなってしまう。
【０００６】
本発明は、このような事情に鑑みなされたものであって、本発明が解決しようとする課題は、パチンコ遊技機の遊技盤に対して設けられ該パチンコ遊技機による遊技を演出する遊技演出役物装置において、第１の可動部分を連続的に動かし続けさせるようにした遊技演出と、第２の可動部分を一時的に動かした後に一時的に停止させるようにした遊技演出とを含むように、上記した遊技演出役物装置を構成し、これら２種類の可動構成による遊技演出を同時に奏するようにしつつ、これら遊技演出を行うためのコストダウンおよびコンパクト化を図ることにある。
【課題を解決するための手段】
【０００７】
上記した課題を解決するにあたって本発明に係る遊技演出役物装置は、次の手段を採用する。
すなわち、本発明の第１の発明に係る遊技演出役物装置は、パチンコ遊技機の遊技盤に対して設けられ該パチンコ遊技機の遊技演出を奏する遊技演出役物装置であって、駆動源となる電動モータと、該電動モータからの回転駆動力を受けて回転部位を連続的に回転させる第１演出機構と、該電動モータからの回転駆動力を受けて可動部位を断続的に可動させる第２演出機構と、を備え、前記電動モータと前記第２演出機構との間の回転駆動力を伝達する区間には、該電動モータと前記第１演出機構との間の回転駆動力を伝達する区間とは相違して、該電動モータからの回転駆動力を該第２演出機構に伝達あるいは遮断する伝達リミット機構が介在されており、前記伝達リミット機構は、前記可動部位が可動範囲内に存する場合には、該可動部位が該可動範囲の限界に到達するまで前記電動モータから前記第２演出機構に向けた回転駆動力を該第２演出機構に伝達するように構成され、前記可動部位が可動範囲の限界に到達して該可動部位の可動が規制されて前記電動モータから伝達される回転駆動力の伝達トルクが規定の伝達トルクを超えた場合には、該電動モータから前記第２演出機構に向けた回転駆動力の伝達を遮断するように構成されている、ことを特徴とする。なお、前記電動モータと前記第１演出機構との間の回転駆動力を伝達する区間には、該電動モータと前記第２演出機構との間の回転駆動力を伝達する区間とは相違して、該電動モータからの回転駆動力を該第１演出機構に連続的に伝達する連続伝達機構が介在されるようになっている。ここで、前記電動モータと前記第２演出機構との間の回転駆動力を伝達する区間には、該電動モータと前記第１演出機構との間の回転駆動力を伝達する区間との間に配設される回転駆動力を伝達する伝達部材が、両者の区間で共通に回転駆動力を伝達する部材（例えば回転駆動軸が同軸となるギヤ）として配設されるものであってもよい。
【０００８】
この第１の発明に係る遊技演出役物装置によれば、次のように遊技演出することとなる。すなわち、第１演出機構においては、電動モータと第１演出機構との間の回転駆動力を伝達する区間には連続伝達機構が介在されているので、電動モータからの回転駆動力を第１演出機構に連続的に伝達する。また、第２演出機構においては、電動モータと第２演出機構との間の回転駆動力を伝達する区間には、第１演出機構と相違して、伝達リミット機構が介在されているので、電動モータからの回転駆動力を第２演出機構に伝達あるいは遮断することができる。つまり、伝達リミット機構は、可動部位が可動範囲内に存する場合には、可動部位が可動範囲の限界に到達するまで電動モータから第２演出機構に向けた回転駆動力を第２演出機構に伝達するようになっており、可動部位が可動範囲の限界に到達して可動部位の可動が規制されて電動モータから伝達される回転駆動力の伝達トルクが規定の伝達トルクを超えた場合には、電動モータから第２演出機構に向けた回転駆動力の伝達を遮断するようになっているので、１つの電動モータの回転駆動力により上記した第１演出機構および第２演出機構の機構作動を確保することができる。これによって、第１演出機構により可動部分となる回転部位を連続的に回転させる遊技演出と、第２演出機構により可動部分となる可動部位を一時的に動かして停止させる遊技演出との、２種類の遊技演出を１つの駆動源により同時に奏するようにして、遊技演出を行うためのコストダウンおよびコンパクト化を図ることができる。
【０００９】
第２の発明に係る遊技演出役物装置は、前記第１の発明に係る遊技演出役物装置において、前記第２演出機構の前記可動部位は、該可動部位と一体となるように配設されるラックと、該可動部位の可動を任意の方向に案内するガイド機構と、を備え、前記ラックは、前記伝達リミット機構を介して前記電動モータから伝達される回転駆動力を出力するピニオンと噛合して、該ピニオンから該回転駆動力を受けることにより前記可動部位を可動させ、前記ガイド機構には、前記可動部位が可動範囲の限界に到達した場合に、該可動部位の可動を規制するために該可動部位の一部と当たるストッパ部が設けられている、ことを特徴とする。
この第２の発明に係る遊技演出役物装置によれば、第２演出機構の可動部位は、可動部位と一体となるように配設されるラックと、可動部位の可動を任意の方向に案内するガイド機構と、を備える。ここで、ラックは、伝達リミット機構を介して電動モータから伝達される回転駆動力を出力するピニオンと噛合して、ピニオンから回転駆動力を受けることにより可動部位を可動させるので、可動部位を可動させる構成の簡単化を図ることができる。また、ガイド機構には、可動部位が可動範囲の限界に到達した場合に、可動部位の可動を規制するために可動部位の一部と当たるストッパ部が設けられているので、可動部位の可動を規制する構成の簡単化を図ることができる。これによって、遊技演出を行うための更なるコストダウンを図ることができる。
【００１０】
第３の発明に係る遊技演出役物装置は、前記第１または前記第２の発明に係る遊技演出役物装置において、前記第１演出機構の前記回転部位を回転支持する支持部位には、該第１演出機構の該回転部位の回転位置を検出するための回転検出機構が設けられている、ことを特徴とする。
この第３の発明に係る遊技演出役物装置によれば、第１演出機構の回転部位を回転支持する支持部位には、第１演出機構の回転部位の回転位置を検出するための回転検出機構が設けられているので、この第１演出機構による遊技演出が終了するにあたって、所望の回転位置に設定して遊技演出を終了させることができる。これによって、第１演出機構による遊技演出に、更なる演出価値を持たせることができ、遊技の興趣を向上させることができる。
【発明の効果】
【００１１】
第１の発明に係る遊技演出役物装置によれば、第１演出機構により回転部位を連続的に回転させる遊技演出と、第２演出機構により可動部位を一時的に動かして停止させる遊技演出との、２種類の遊技演出を１つの駆動源により同時に奏するようにして、遊技演出を行うためのコストダウンおよびコンパクト化を図ることができる。
第２の発明に係る遊技演出役物装置によれば、構成の簡単化を図ることができて、更なるコストダウンを図ることができる。
第３の発明に係る遊技演出役物装置によれば、第１演出機構による遊技演出に、更なる演出価値を持たせることができ、遊技の興趣を向上させることができる。
【図面の簡単な説明】
【００１２】
【図１】パチンコ遊技機の全体外観を示す全体正面図である。
【図２】パチンコ遊技機の遊技盤を抜き出して示す正面図である。
【図３】左側演出表示部が視認可能となっている遊技演出役物装置の外観を前面斜視および背面斜視にて示す外観斜視図である。
【図４】図３の遊技演出役物装置の外観を前面および背面にて示す平面図である。
【図５】右側演出表示部が視認可能となっている遊技演出役物装置の外観を前面斜視および背面斜視にて示す外観斜視図である。
【図６】図５の遊技演出役物装置の外観を前面および背面にて示す平面図である。
【図７】遊技演出役物装置の分解状態を前面斜視にて示す分解斜視図である。
【図８】遊技演出役物装置の分解状態を背面斜視にて示す分解斜視図である。
【図９】スライド体の正面および背面を示す平面図である。
【図１０】スライド体の分解状態を斜視にて示す分解斜視図である。
【図１１】モータユニットの分解状態を斜視にて示す分解斜視図である。
【図１２】遊技演出役物装置の第２の実施の形態を示す作動図である。
【図１３】図１２のスライド体の正面および背面を示す平面図である。
【図１４】図１２のスライド体の分解状態を斜視にて示す分解斜視図である。
【図１５】遊技演出役物装置の第３の実施の形態を示す作動図である。
【図１６】遊技演出役物装置の第４の実施の形態を示す作動図である。
【図１７】図１６に示す遊技演出役物装置のガイド機構を平面視で拡大して示す作動図である。
【発明を実施するための形態】
【００１３】
［第１の実施の形態］
次に、本発明を実施するための実施の形態について図面を参照しながら説明する。まずは、本発明に係る遊技演出役物装置の第１の実施の形態について説明する。図１は、パチンコ遊技機１０の全体外観を示す全体正面図である。パチンコ遊技機１０は、最外部に配設される外枠１１と、この外枠１１にて支持される前枠１２とを備える。前枠１２は、ヒンジ構造を有した連結部材１３により外枠１１に連結され、外枠１１に対して扉状に片側開閉される。この前枠１２は、外枠１１に対し前面側（遊技者側）に設置され、背面側（遊技機奥側）にて遊技盤２０を支持する。また、前枠１２の下部には、発射装置１４、上皿１５、下皿１６が設置されている。発射装置１４は、遊技盤２０に具備される遊技領域２１に向けて遊技球を発射する。図２は、このパチンコ遊技機１０に具備される遊技盤２０を抜き出して示す正面図である。この遊技盤２０は、図２に示すように、遊技球が発射される遊技領域２１を具備して構成される。この遊技領域２１の中央部分には、遊技に関してメイン表示演出がなされる表示装置２２が設けられている。この表示装置２２は、液晶画面等により構成され、主として大当りを含む遊技演出に関する表示演出がなされる。
【００１４】
また、遊技領域２１のうち、表示装置２２の下側には、大当り抽選を始動させる始動入賞口２３が設けられている。また、この遊技領域２１のうち、始動入賞口２３の下側には、大当りした場合に開けられる大当り入賞口２４が設けられている。また、図示符号２５は、発射装置１４から発射した遊技球を遊技領域２１に向けてガイドするための発射ガイドレールである。また、図示符号２６は普通入賞口であり、図示符号２７は風車である。
このように構成されるパチンコ遊技機１０は、上記した発射装置１４から発射された遊技球が、発射ガイドレール２５により遊技領域２１に打ち込まれるようになっている。そして、この遊技領域２１に打ち込まれた遊技球が上記した始動入賞口２３に入って入賞することにより、不図示の制御装置により大当り抽選がされる。なお、この不図示の制御装置は、上記した表示装置２２による表示演出の表示制御を行うとともに、次に説明する遊技演出役物装置３０による遊技演出の役物駆動制御も行うものとなっている。
【００１５】
ところで、上記した遊技盤２０に具備される遊技領域２１のうち、中央部分に設置される表示装置２２の右側には、遊技演出役物装置３０が設置されている。なお、図３〜図６では、遊技盤２０に設置される遊技演出役物装置３０を抜き出して図示している。
すなわち、図３は、左側演出表示部６１２Ａが視認可能となっている遊技演出役物装置３０の外観を斜視にて示すものである。図３（Ａ）は、前面斜視にて示す外観斜視図であり、図３（Ｂ）は、背面斜視にて示す外観斜視図である。図４（Ａ）は、図３の遊技演出役物装置３０の前面平面図であり、図４（Ｂ）は、図３の遊技演出役物装置３０の背面平面図である。また、図５は、右側演出表示部６１２Ｂが視認可能となっている遊技演出役物装置３０の外観を斜視にて示すものである。図５（Ａ）は、前面斜視にて示す外観斜視図であり、図５（Ｂ）は、背面斜視にて示す外観斜視図である。図６（Ａ）は、図５の遊技演出役物装置３０の前面平面図であり、図６（Ｂ）は、図５の遊技演出役物装置３０の背面平面図である。また、図７は、遊技演出役物装置３０の分解状態を前面斜視にて示す分解斜視図であり、図８は、遊技演出役物装置３０の分解状態を背面斜視にて示す分解斜視図である。
【００１６】
図３〜図６に示す遊技演出役物装置３０は、上記したように不図示の制御装置により役物駆動制御がなされる、一般に役物と称される装置である。この遊技演出役物装置３０は、図７および図８に示すように、駆動源となる１つの電動モータ３３により駆動するように構成される。この駆動源となる１つの電動モータ３３は、次に説明する２種類の遊技演出を同時に奏することができる回転駆動力を発生させる。なお、この電動モータ３３は、電力を動力源として駆動する構成であればよいが、この実施の形態では、回転した場合の電動モータ３３の出力軸の回転位置を検出するのに有利なステッピングモータ（ブラシレスモータ）にて構成されている。
このように電動モータ３３を具備して構成される遊技演出役物装置３０は、遊技演出を奏する第１演出機構５０および第２演出機構６０を具備する。第１演出機構５０は、電動モータ３３からの回転駆動力を受けて、可動部分となる回転部位を連続的に回転させる遊技演出を奏する。第２演出機構６０は、電動モータ３３からの回転駆動力を受けて、可動部分となる可動部位を一時的に動かして停止させるように断続的に遊技演出を奏する。このため、遊技演出役物装置３０は、電動モータ３３によって出力される回転駆動力を、これら第１演出機構５０および第２演出機構６０に対して同時に伝達できるように、後に詳述するモータユニット３１として構成される。
【００１７】
次に、遊技演出役物装置３０をなすための各機構を図７〜図１１を参照しながら説明する。なお、以下の説明では、各図に記載のとおりで規定される方向を利用して説明する。なお、図示にて規定される方向は、上記したパチンコ遊技機１０の設置条件で規定される、前面側（遊技者側）および背面側（遊技機奥側）に基づくものである。
すなわち、遊技演出役物装置３０は、図７および図８に示すように、概略、電動モータ３３を具備して構成されるモータユニット３１と、回転体５１を回転支持する支持部位としての回転支持ユニット４５と、第１演出機構５０と、第２演出機構６０と、を備える。以下、モータユニット３１からの回転駆動力を受けて駆動する第１演出機構５０および第２演出機構６０について説明する。
なお、この遊技演出役物装置３０は、第１演出機構５０および第２演出機構６０を覆うように、箱形カバー体５９が設置されている。この箱形カバー体５９は、上記したガイド支持体６５に対して螺子部材６９により螺子止めされている。この箱形カバー体５９の前面には、回転体５１を見えるように開口された前面開口部５９１が設けられている。また、この箱形カバー体５９の両側面には、スライド体６１をスライドさせるために開口された側面開口部５９２，５９２が設けられている。
【００１８】
第１演出機構５０は、図７および図８に示すように、略円柱状の回転体５１を具備して構成される。この回転体５１は、遊技演出するために連続的に回転させる可動部分となる回転部位である。このため、回転体５１の上部および下部には、軸受けされて回転支持されるための上側軸部５２および下側軸部５５が設けられている。これら上側軸部５２および下側軸部５５は、後に説明するモータユニット３１および回転支持ユニット４５により回転可能に軸受けされる。回転体５１の上部に設けられる上側軸部５２は、図７に示すように、軸受けされる小径の円筒部５３が形成されている。この円筒部５３は、後に説明するモータユニット３１の軸受け部３２１に回転可能に嵌挿される。この円筒部５３の外周面には、後に説明するモータユニット３１からの回転駆動力を受ける回転体ギヤ５４が形成されている。この回転体ギヤ５４は、後にも詳述するが、電動モータ３３からの回転駆動力が伝達される出力ギヤ３７と噛合する。このように出力ギヤ３７と噛合し、電動モータ３３からの回転駆動力が伝達される回転体ギヤ５４は、この回転駆動力を受けて回転体５１を回転駆動させる。
【００１９】
これに対し、回転体５１の下部に設けられる下側軸部５５は、図８に示すように、軸受けされるシャフト５６が設けられている。このシャフト５６は、後に説明する回転支持ユニット４５の軸受け部４７に回転可能に嵌挿される。このシャフト５６の外周側には、被検出部５７が設けられている。この被検出部５７は、回転検出機構４８の一部を構成するものであり、回転検出機構４８の検出器４９にて検出される部分として構成される。具体的には、回転検出機構４８の検出器４９が適宜のフォトセンサに構成されるため、この被検出部５７は、この検出器４９にて検出可能なフォトセンサ遮蔽形状を有して形成されている。また、略円柱状をなす回転体５１の周面には、さまざまな模様形状５８が形成されている。このように模様形状５８は、回転体５１が回転することにより興趣を高める形状が選択されている。このように構成される第１演出機構５０の回転体５１は、モータユニット３１の軸受け部３２１と回転支持ユニット４５の軸受け部４７とにより回転可能に軸受けされて回転するようになっている。なお、これらの軸受け部３２１，４７をそれぞれ具備するモータユニット３１および回転支持ユニット４５は、次に説明する第２演出機構６０のガイド支持体６５に対して支持される。
【００２０】
なお、このガイド支持体６５は、上記したように、モータユニット３１と回転支持ユニット４５とが螺子部材６９により螺子止めされている。
このガイド支持体６５には、図３〜図６に示すように、左右方向で延在するようにガイド溝６７，６７が上下一対で設けられている。このガイド溝６７は、次に説明するスライド体６１のガイドボス６２がスライド可能に嵌挿される溝である。具体的には、ガイド溝６７は、スライド体６１を任意の方向となる左右方向にスライドさせることができるように、このガイド支持体６５の左右方向に延びるように形成されている。このガイド溝６７は、ガイドボス６２が嵌挿されてガイド機構６６をなす。
ガイド溝６７に嵌挿されたガイドボス６２は、背面側の突出し端に留具６８が設けられている。この留具６８は、ガイド溝６７に嵌挿されたガイドボス６２の、ガイド支持体６５の背面側からの突出し端に、螺子部材６９を介して設けられることにより、ガイド溝６７に嵌挿されたガイドボス６２のガイド溝６７からの抜け防止するものとなっている。つまり、ガイド機構６６は、このようにスライド体６１のガイドボス６２がガイド溝６７に嵌挿された状態で留められておくことにより、遊技盤２０に対してスライド体６１をスライド可能に支持しつつ、このスライド体６１のスライドを案内する機能を有するようになっている。なお、このスライド体６１のスライド方向は、任意の方向となる左右方向に設定されている。
【００２１】
ところで、このガイド溝６７には、図３〜図６に示すように、上記したスライド体６１がスライド可能範囲の限界に到達した場合に、このスライド体６１のスライドを規制してストップさせる形状が設けられている。すなわち、このガイド溝６７には、スライド体６１のスライド方向の内端は、スライド体６１がスライド可能範囲の限界に到達した場合にストッパ部６７１，６７２として形成されている。このストッパ部６７１，６７２は、スライド体６１のガイドボス６２が当たることとなり、スライド体６１のそれ以上のスライドを規制する。なお、このスライド体６１のガイドボス６２は、スライド体６１の一部をなすようにスライド体６１と一体化して設けられる。このようにして、スライド体６１がスライド可能範囲の限界に到達した場合には、ガイド溝６７内のストッパ部６７１，６７２にガイドボス６２が当たって、スライド体６１のそれ以上のスライドを規制してスライド体６１をストップさせる。
より具体的に説明すると、図３および図４に示すように、スライド体６１が左側に突出しスライドする場合には、左側演出表示部６１２Ａが箱形カバー体５９から左側に突き出して遊技者に対して視認させることができるようになっている。また、図５および図６に示すように、スライド体６１が右側に突出しスライドする場合には、右側演出表示部６１２Ｂが箱形カバー体５９から右側に突き出して遊技者に対して視認させることができるようになっている。このため、左側ストッパ部６７１はガイド溝６７の左側内側端にて形成されており、右側ストッパ部６７２はガイド溝６７の右側内側端にて形成されている。このように形成されたストッパ部６７１，６７２は、次のように作用することとなる。
【００２２】
すなわち、スライド体６１が左側スライド方向にスライドし、該スライド体６１が該左側スライドの限界端に到達した場合には、上記したガイドボス６２は左側ストッパ部６７１に当たることとなる。そうすると、このガイドボス６２の左側ストッパ部６７１に対する当たりによって、スライド体６１のそれ以上の左側スライドは規制され、その左側スライドの限界端の位置でスライド体６１をストップさせる。これに対し、スライド体６１が右側スライド方向にスライドし、該スライド体６１が該右側スライドの限界端に到達した場合には、上記したガイドボス６２は右側ストッパ部６７２に当たることとなる。そうすると、このガイドボス６２の右側ストッパ部６７２に対する当たりによって、スライド体６１のそれ以上の右側スライドは規制され、その右側スライドの限界端の位置でスライド体６１をストップさせる。なお、このようにスライド体６１のスライドが限界端の位置でストップすることとなると、本発明に係る伝達リミット機構としてのトルクリミッタが電動モータ３３からの第２演出機構６０に向けた回転駆動力の伝達を遮断することとなる。
【００２３】
次にラックギヤ６３１を含むスライド体６１について説明する。なお、図９（Ａ）はスライド体６１の正面平面図であり、図９（Ｂ）はスライド体６１の背面平面図である。また、図１０は、スライド体６１の分解状態を斜視にて示す分解斜視図である。すなわち、図９および図１０に示すように、スライド体６１は、概略、螺子部材６９による螺子止めにて、装飾形成体６１１にラック部材６３は一体化される。なお、この装飾形成体６１１の前面側には、スライドすることにより見え隠れする左側演出表示部６１２Ａおよび右側演出表示部６１２Ｂが形成されている。
このスライド体６１の左側演出表示部６１２Ａは、単なる花柄模様の凹凸装飾形状にて形成されている。これに対してスライド体６１の右側演出表示部６１２Ｂは、『ＥＸＣＩＴＥ』という文字の凹凸装飾形状にて形成されている。これら左側演出表示部６１２Ａおよび右側演出表示部６１２Ｂは、上記したように左側スライドや右側スライドすることにより、互い違いに見え隠れするようになっている。
【００２４】
具体的には、スライド体６１のガイドボス６２が左側ストッパ部６７１に当接するまで左側スライドした場合には、左側演出表示部６１２Ａは、箱形カバー体５９の側面開口部５９２から外部に突き出て外部に露出される状態となる。この際、右側演出表示部６１２Ｂは、箱形カバー体５９内に収容された見えない状態となる。これに対し、スライド体６１のガイドボス６２が右側ストッパ部６７２に当接するまで右側スライドした場合には、右側演出表示部６１２Ｂは、箱形カバー体５９の側面開口部５９２から外部に突き出て外部に露出される状態となる。この際、左側演出表示部６１２Ａは、箱形カバー体５９内に収容された見えない状態となる。
つまり、スライド体６１が左側スライドした場合には、遊技者は、右側演出表示部６１２Ｂを視認することができず、左側演出表示部６１２Ａだけを視認することができる。これに対して、スライド体６１が右側スライドした場合には、遊技者は、左側演出表示部６１２Ａを視認することができず、右側演出表示部６１２Ｂだけを視認することができる。
【００２５】
ところで図９および図１０に示すように、スライド体６１は、左側演出表示部６１２Ａおよび右側演出表示部６１２Ｂが設けられる装飾形成体６１１の上側縁部分には、螺子部材６９にて螺子止めされたラック部材６３が取り付けられる。このように装飾形成体６１１に取り付けられたラック部材６３は、スライド体６１のスライド方向で延在するようにラックギヤ６３１が形成される。このラックギヤ６３１は、スライド体６１の前面側に露出するように形成されており、後にも詳述するが、電動モータ３３から伝達される回転駆動力を出力するピニオンギヤ４２１と噛合するギヤとなっている。なお、このピニオンギヤ４２１は、後に説明するが、伝達リミット機構としてのトルクリミッタ４１を介して電動モータ３３から伝達される回転駆動力を出力するものである。このため、このようにピニオンギヤ４２１と噛合するラックギヤ６３１は、電動モータ３３からの回転駆動力を受けてスライド体６１をスライド駆動させ、もって上記したスライド体６１をスライドさせる。このスライド体６１の背面側には、ガイド支持体６５に向けて突き出すようにガイドボス６２が設けられている。なお、このガイドボス６２は、上記したようにガイド支持体６５に設けられたガイド溝６７に嵌挿される部分であり、このガイド溝６７とともにガイド機構６６をなすものである。
【００２６】
次に、上記した第１演出機構５０および第２演出機構６０を駆動させるにあたってのモータユニット３１について説明する。図１１は、モータユニット３１の分解状態を斜視にて示す分解斜視図である。図１１に示すように、モータユニット３１は、概略、組付けベース３２と、電動モータ３３と、ギヤ構造３５と、を備える。
組付けベース３２は、次に説明する電動モータ３３およびギヤ構造３５を組み付けるためのベース部材として機能する。このため、組付けベース３２は、これら電動モータ３３およびギヤ構造３５を組み付け可能に形成されている。さらに、この組付けベース３２は、図７等に示すように、螺子部材６９を介して螺子止めすることによりモータユニット３１をガイド支持体６５にて支持させる取付け部材としての機能も有する。このため、組付けベース３２は、ガイド支持体６５に対して螺子部材６９を介して螺子止めするための適宜の構造を有して形成される。
【００２７】
この組付けベース３２の下面側には、図８に示すように、回転体５１の上部に設けられる上側軸部５２をなす円筒部５３が嵌挿される軸受け部３２１が設けられている。この軸受け部３２１は、上記した回転体５１の円筒部５３が挿し嵌まる形状を有して形成されている。このようにして、回転体５１の上側軸部５２は、組付けベース３２の軸受け部３２１により回転可能に軸支持されるものとなっている。また、この組付けベース３２の上面側には、図１１に示すように、出力ギヤ３７等を支持する伝達軸支ピン３８を軸支持するための軸支孔３２２が設けられている。この軸支孔３２２には、この伝達軸支ピン３８を嵌挿させるにあたって摺動ブッシュ４３を介在させている。この摺動ブッシュ４３は、軸支孔３２２に対する伝達軸支ピン３８の回転摺動を確保するためのものであり、滑らかに伝達軸支ピン３８が回転摺動できる適宜の樹脂にて形成されている。なお、伝達軸支ピン３８は、上側部分が組付けベース３２の軸支孔３２２にて摺動ブッシュ４３を介在させて軸支持されており、下側部分が出力ギヤ３７を介してギヤカバー３６の軸支孔３６２に軸支持されている。このようにして伝達軸支ピン３８は、上下で軸受けされ、回転可能に支持されている。
【００２８】
電動モータ３３は、上記したように、この遊技演出役物装置３０を駆動させるための駆動源となるものであり、適宜のステッピングモータ（ブラシレスモータ）にて構成されている。この電動モータ３３は、適宜の螺子部材３９により上記した組付けベース３２に螺子止めされている。この電動モータ３３は、図１１では角度により見えないが、下方に向けて突き出す駆動軸を有する。この駆動軸（不図示）は、電動モータ３３の回転駆動力を外部に出力するための出力軸となっている。この駆動軸（不図示）には、電動モータ３３により発生させた回転駆動力を次に説明するギヤ構造３５に向けて伝達するための駆動ギヤ３４が取付けられている。この駆動ギヤ３４は、次に説明するギヤ構造３５の出力ギヤ３７と噛合している。つまり、電動モータ３３の駆動軸（不図示）からの回転駆動力を受けて回転する駆動ギヤ３４は、この駆動ギヤ３４と噛合する出力ギヤ３７に回転駆動力を伝達することとなる。
【００２９】
ギヤ構造３５は、次に詳述する出力ギヤ３７等の各種の部材を内装した状態で、ギヤカバー３６を組付けベース３２に取り付けることにより構成される。このギヤカバー３６は、螺子部材３９を介して上記した組付けベース３２に螺子止めしている。このギヤカバー３６は、上記した組付けベース３２とともに、これら出力ギヤ３７等の各種の部材を、回転可能に軸支持する機能を有する。すなわち、ギヤカバー３６には、螺子部材３９により組付けベース３２に螺子止めする適宜の螺子孔３６１が設けられている。また、ギヤカバー３６には、次に説明する出力ギヤ３７の回転を回転可能に軸支持するための軸支孔３６２が設けられている。このように組付けベース３２に螺子止めされるギヤカバー３６は、ギヤカバー３６との間に出力ギヤ３７等の各種の部材を内装するためのスペースが形成される。このように形成されたスペースには、次に説明する出力ギヤ３７等の各種の部材が内装される。
【００３０】
出力ギヤ３７は、上記した電動モータ３３の駆動ギヤ３４が噛合するギヤとなっている上、回転体５１の回転体ギヤ５４と噛合するギヤとなっている。このため、この出力ギヤ３７は、電動モータ３３からの回転駆動力を駆動ギヤ３４を介して受けて、このように受けた回転駆動力を回転体５１の回転体ギヤ５４に伝達する。このようにして、駆動ギヤ３４を介して出力ギヤ３７を回転駆動させ、上記した第１演出機構５０の回転体５１を回転させることとなる。なお、この出力ギヤ３７の下側部分は、上記したギヤカバー３６の軸支孔３６２に回転可能に嵌挿される下側軸支部３７１として、略円筒形状にて形成されている。また、この出力ギヤ３７の回転軸部分には、次に説明する伝達軸支ピン３８を嵌合するための嵌合孔３７２が設けられている。つまり、この嵌合孔３７２は、伝達軸支ピン３８と一体回転するように伝達軸支ピン３８が嵌合可能な形状を有して形成される。なお、この伝達軸支ピン３８は、上部が摺動ブッシュ４３を介して軸支孔３２２に嵌挿されているため、ギヤカバー３６の軸支孔３６２に回転可能に嵌挿される出力ギヤ３７の下側軸支部３７１とともに、この出力ギヤ３７の回転は軸支持されるものとなっている。このように出力ギヤ３７は、この電動モータ３３と回転体５１（第１演出機構５０）との間の回転駆動力を伝達する区間に配設されるものであり、電動モータ３３からの回転駆動力を回転体５１（第１演出機構５０）に連続的に伝達するための連続伝達機構として機能するものである。
【００３１】
このように下側部分が出力ギヤ３７の嵌合孔３７２に嵌合される伝達軸支ピン３８は、上側部分がトルクリミッタ４１に嵌入されるものとなっている。ここで伝達軸支ピン３８には、伝達軸支ピン３８の周面から回転径方向外側に突き出すように係合ピン４０が配設されている。具体的には、係合ピン４０は、伝達軸支ピン３８の回転径方向に伝達軸支ピン３８に突き刺すように配設されている。このようにして係合ピン４０の一部が伝達軸支ピン３８の周面から回転径方向外側に突き出すようになっており、このように突出した部分が次に説明するトルクリミッタ４１の内輪側に係合する。このようにして出力ギヤ３７と一体回転する伝達軸支ピン３８は、トルクリミッタ４１の内輪側も係合ピン４０により一体回転させるようになっている。なお、この伝達軸支ピン３８の上部は、次に説明するトルクリミッタ４１およびピニオン４２の内部を貫いて、これらトルクリミッタ４１およびピニオン４２の上側から突き出すようになっており、上記したように摺動ブッシュ４３を介して軸支孔３２２に嵌挿される。
【００３２】
トルクリミッタ４１は、本発明に係る伝達リミット機構に相当する部材である。つまり、このトルクリミッタ４１は、電動モータ３３と第２演出機構６０との間の回転駆動力を伝達する区間に配設されるものであり、この電動モータ３３からの回転駆動力をラック部材６３（第２演出機構６０）に伝達あるいは遮断する機能を有する。つまり、このトルクリミッタ４１は、上記したスライド体６１がスライド範囲内に存する場合に、スライド体６１がスライド範囲の限界に到達するまで電動モータ３３からラック部材６３（第２演出機構６０）に向けた回転駆動力をラック部材６３（第２演出機構６０）に伝達するように構成される。また、このトルクリミッタ４１は、上記したスライド体６１がスライド範囲の限界に到達してスライド体６１のスライドが規制されて電動モータ３３から伝達される回転駆動力の伝達トルクが規定の伝達トルクを超えた場合には、電動モータ３３からラック部材６３（第２演出機構６０）に向けた回転駆動力の伝達を遮断するように構成されている。
【００３３】
具体的には、トルクリミッタ４１は、特に符号を付して無いが、一般的に汎用されるトルクリミッタと同様、上記した伝達軸支ピン３８と一体回転するように伝達軸支ピン３８と係合する内輪側と、後に説明するピニオン４２と一体回転するようにピニオン４２と係合する外輪側と、を有して形成されている。ここで、トルクリミッタ４１は、この伝達軸支ピン３８と一体回転する内輪側からピニオン４２と一体回転する外輪側に向けて、回転駆動力を伝達するように構成される。ここで、ピニオン４２と一体回転する外輪側の回転が規制されて停止して、この外輪側の回転が内輪側の回転に追従できなくなった場合には、この内輪側から外輪側に伝達される回転駆動力の伝達トルクは規定の伝達トルクを超える。そうすると、トルクリミッタ４１は、内輪側から外輪側に向けて回転駆動力を伝達しない、回転駆動力の伝達を遮断した状態となる。なお、トルクリミッタ４１の外輪側と一体回転するピニオン４２の回転は、上記したスライド体６１と一体化してスライドするガイドボス６２が、左側ストッパ部６７１や右側ストッパ部６７２に当たって、その限界端の位置でストップすることによるものとなっている。
【００３４】
ピニオン４２は、上記したラック部材６３のラックギヤ６３１が噛合するピニオンギヤ４２１を具備する。このピニオン４２は、上記したように、トルクリミッタ４１の外輪側と一体回転するように係合している。つまり、上記した伝達軸支ピン３８からの回転駆動力は、トルクリミッタ４１の内輪側および外輪側を経てピニオン４２に伝達されることとなる。このように伝達されたピニオン４２の回転駆動力は、ピニオンギヤ４２１と噛合するラックギヤ６３１にてラック部材６３へと伝達され、もってスライド体６１はスライド駆動することとなっている。
回転支持ユニット４５は、上記したように、回転体５１の下部に設けられる下側軸部５５を支持する。この回転支持ユニット４５は、図７および図８に示すように、下側軸部５５のシャフト５６を軸受けするための軸受け部４７が設けられている。また、この軸受け部の外周側には、回転検出機構４８の検出器４９が設けられている。この検出器４９は、適宜のフォトセンサにて構成され、回転体５１に設けられる被検出部５７の遮蔽形状により回転体５１の回転位置を検出することができるようになっている。具体的には、回転検出機構４８の検出器４９により、回転体５１が回転をカウントする等して電動モータ３３の回転駆動制御に基づいて回転体５１の向きを検出することができるようになっている。
【００３５】
以上説明した第１の実施の形態の遊技演出役物装置３０によれば、次のような作用効果を奏することができる。
すなわち、上記した遊技演出役物装置３０によれば、次のように遊技演出することとなる。すなわち、第１演出機構５０においては、電動モータ３３と第１演出機構５０との間の回転駆動力を伝達する区間には出力ギヤ３７（連続伝達機構）が介在されているので、電動モータ３３からの回転駆動力を第１演出機構５０に連続的に伝達することができる。つまり、この遊技演出役物装置３０によれば、第１演出機構５０の回転体５１を連続的に回転させる遊技演出を奏することができる。また、上記した遊技演出役物装置３０によれば、第２演出機構６０においては、電動モータ３３と第２演出機構６０との間の回転駆動力を伝達する区間には、第１演出機構５０と相違して、トルクリミッタ４１（伝達リミット機構）が介在されているので、電動モータ３３からの回転駆動力を第２演出機構６０に伝達あるいは遮断することができる。つまり、トルクリミッタ４１は、スライド体６１がスライド範囲内に存する場合には、スライド体６１がスライド範囲の限界に到達するまで電動モータ３３から第２演出機構６０に向けた回転駆動力を第２演出機構６０に伝達するようになっている。
【００３６】
ここで、図３および図４に示すように、スライド体６１が左側スライドし、ガイドボス６２が左側ストッパ部６７１に当たると、スライド体６１のそれ以上の左側スライドは規制されて、その左側スライドの限界端の位置でスライド体６１をストップさせる。そうすると、ピニオン４２の回転が停止して、ピニオン４２と一体回転する外輪側の回転が停止し、外輪側の回転が内輪側の回転に追従できなくなる。そうすると、内輪側から外輪側に伝達される回転駆動力の伝達トルクは規定の伝達トルクを超えて、伝達軸支ピン３８と一体回転する内輪側は空転状態となって、トルクリミッタ４１は、内輪側から外輪側に向けて回転駆動力を伝達しない、回転駆動力の伝達を遮断した状態となる。
これに対して、図５および図６に示すように、スライド体６１が右側スライドし、ガイドボス６２が右側ストッパ部６７２に当たると、スライド体６１のそれ以上の右側スライドは規制されて、その右側スライドの限界端の位置でスライド体６１をストップさせる。そうすると、上記したスライド体６１の右側スライドと同様、ピニオン４２の回転が停止して、ピニオン４２と一体回転する外輪側の回転が停止し、外輪側の回転が内輪側の回転に追従できなくなる。そうすると、内輪側から外輪側に伝達される回転駆動力の伝達トルクは規定の伝達トルクを超えて、伝達軸支ピン３８と一体回転する内輪側は空転状態となって、トルクリミッタ４１は、内輪側から外輪側に向けて回転駆動力を伝達しない、回転駆動力の伝達を遮断した状態となる。
【００３７】
このようにして、１つの電動モータ３３の回転駆動力により、第１演出機構５０の回転体５１は回転させたまま、第２演出機構６０のスライド体６１をスライドさせて停止させることができる。つまり、第１演出機構５０により回転体５１を連続的に回転させる遊技演出と、第２演出機構６０によりスライド体６１を一時的に動かして停止させる遊技演出との、２種類の遊技演出を１つの駆動源となる電動モータ３３により同時に奏するようにして、遊技演出を行うためのコストダウンおよびコンパクト化を図ることができる。
また、上記した遊技演出役物装置３０によれば、第２演出機構６０のスライド体６１は、スライド体６１と一体となるように配設されるラック部材６３と、スライド体６１のスライドを任意の左右方向に案内するガイド機構６６と、を備える。ここで、ラック部材６３は、トルクリミッタ４１を介して電動モータ３３から伝達される回転駆動力を出力するピニオン４２と噛合して、ピニオン４２から回転駆動力を受けることによりスライド体６１をスライドさせるので、スライド体６１をスライドさせる構成の簡単化を図ることができる。また、ガイド機構６６のガイド溝６７には、スライド体６１がスライド範囲の限界に到達した場合に、スライド体６１のスライドを規制するためにスライド体６１の一部と当たるストッパ部６７１，６７２が設けられているので、スライド体６１のスライドを規制する構成の簡単化を図ることができる。これによって、遊技演出を行うための更なるコストダウンを図ることができる。
また、上記した遊技演出役物装置３０によれば、第１演出機構５０の回転体５１を回転支持する回転支持ユニット４５には、第１演出機構５０の回転体５１の回転位置を検出するための回転検出機構４８が設けられているので、この第１演出機構５０による遊技演出が終了するにあたって、所望の回転位置に設定して遊技演出を終了させることができる。これによって、第１演出機構５０による遊技演出に、更なる演出価値を持たせることができ、遊技の興趣を向上させることができる。
【００３８】
［第２の実施の形態］
次に、上記した第１の実施の形態の変形例となる第２の実施の形態について、図１２〜図１４を参照しながら説明する。すなわち、図１２は、第２の実施の形態の遊技演出役物装置３０Ａを示す作動図である。詳しくは、図１２（Ａ）は、遊技演出役物装置３０Ａの収容状態を示す作動図である。図１２（Ｂ）は、遊技演出役物装置３０Ａの突出し状態を示す作動図である。図１３（Ａ）はスライド体６１の正面平面図であり、図１３（Ｂ）はスライド体６１の背面平面図である。また、図１４は、スライド体６１の分解状態を斜視にて示す分解斜視図である。
この第２の実施の形態の遊技演出役物装置３０Ａは、図１２に示すように、上記した第１の実施の形態の遊技演出役物装置３０のうち、第２演出機構６０および箱形カバー体５９の構成について相違するものとなっている。このため、この遊技演出役物装置３０Ａのうち、上記した第１の実施の形態の遊技演出役物装置３０と同一に構成される部分については図示同一符号を付して説明を省略する。なお、後に説明する第３の実施の形態および第４の実施の形態にあっても、これと同様に、上記した第１の実施の形態の遊技演出役物装置３０と同一に構成される部分については図示同一符号を付して説明を省略する。
【００３９】
上記した第１の実施の形態の遊技演出役物装置３０の第２演出機構６０にあっては、スライド体６１の突出しは、遊技盤２０に対して左右両側に設定されていた。これに対して第２の実施の形態の遊技演出役物装置３０Ａの第２演出機構６０Ａにあっては、スライド体６１Ａの突出しは、遊技盤２０に対して左側のみに設定される。このため、スライド体６１Ａの装飾形成体６１１は、上記したスライド体６１の装飾形成体６１１に比して、左側部分のみに突出しスライドできるように左側部分のみに設定されている。つまり、スライド体６１Ａには、左側部分のみに演出表示部６１２が形成されており、この演出表示部６１２は、『ＣＨＡＮＣＥ』という文字の凹凸装飾形状にて形成されている。このため、図１３および図１４に示すように、スライド体６１Ａに形成される演出表示部６１２は、スライド体６１Ａの片側部分のみに設定されている。また、これに応じて、箱形カバー体５９Ａは、前面開口部５９１Ａと左側面開口部５９２Ａとを連ならせるようにして開口させて形成される。
【００４０】
この第２の実施の形態の遊技演出役物装置３０Ａによれば、次のような作用効果を奏することができる。すなわち、この遊技演出役物装置３０Ａによれば、図１２（Ａ）から図１２（Ｂ）に切り替わるようにスライド体６１Ａが左側スライドする場合には、回転体５１に隠れていた演出表示部６１２を左側に突き出して、遊技者に対して視認可能な状態となる。また、この遊技演出役物装置３０Ａによれば、図１２（Ｂ）から図１２（Ａ）に切り替わるようにスライド体６１Ａが右側スライドする場合には、見えていた演出表示部６１２を回転体５１に隠れるように収容し、遊技者に対して見えない状態となる。このため、図示していないが、第２の実施の形態のガイド機構（不図示）のガイド溝（不図示）は、上記した第１の実施の形態のガイド機構６６のガイド溝６７に比して短い長さに設定されている。この第２の実施の形態の遊技演出役物装置３０Ａによれば、上記した第２演出機構６０Ａのスライド体６１Ａを、第１演出機構５０の回転体５１に隠すことができて、遊技の興趣を更に高めることができる。
【００４１】
［第３の実施の形態］
次に、上記した第１の実施の形態の変形例となる第３の実施の形態について、図１５を参照しながら説明する。図１５は、第３の実施の形態の遊技演出役物装置３０Ｂを示す作動図である。詳しくは、図１５（Ａ）は、遊技演出役物装置３０Ｂの左側突出しスライドを示す作動図である。図１５（Ｂ）は、遊技演出役物装置３０Ｂの中間スライド位置を示す作動図である。図１５（Ｃ）は、遊技演出役物装置３０Ｂの右側突出しスライドを示す作動図である。
この第３の実施の形態の遊技演出役物装置３０Ｂの第２演出機構６０Ｂにあっては、図１５（Ａ）および図１５（Ｃ）に示すように、上記した第１の実施の形態の遊技演出役物装置３０と同様に、スライド体６１Ｂの突出しが遊技盤２０に対して左右両側に設定されている。ただ、この第２演出機構６０Ｂのスライド体６１Ｂにあっては、図１５（Ｂ）に示すように、中間スライド位置で停止させることができるように構成されている。なお、この第３の実施の形態の遊技演出役物装置３０Ｂにあっては、スライド体６１の左側演出表示部６１２Ｃは、『ＣＨＡＮＣＥ』という文字の凹凸装飾形状にて形成されている。これに対してスライド体６１Ｂの右側演出表示部６１２Ｄは、『ＥＸＣＩＴＥ』という文字の凹凸装飾形状にて形成されている。これら左側演出表示部６１２Ｃおよび右側演出表示部６１２Ｄは、上記したように左側スライドや右側スライドすることにより、互い違いに見え隠れするようになっている。
【００４２】
つまり、この第３の実施の形態の第２演出機構６０Ｂにあっては、図示していないが、図１５（Ｂ）に示す中間スライド位置でスライド体６１Ｂを停止させることができるように、適宜の機構が設けられている。この適宜の機構としては、例えば、スライド体６１Ｂが中間スライド位置で停止するように、上記したガイドボス６２を当接させるストッパ部材が突出駆動するように構成されるものであってよい。なお、このストッパ部材の突出駆動は、上記した不図示の制御装置にて制御されるものであればよく、スライド体６１Ｂを中間スライド位置で停止させる場合に、適宜の駆動機構により突出駆動させるように構成されるものであればよい。つまり、スライド体６１Ｂを中間スライド位置で停止させない場合には、ストッパ部材は、突出駆動せずにガイドボス６２に当接しないように収納された状態となる。なお、図１５（Ｂ）に示す中間スライド位置での停止は、このような機構によるものに限定されることなく、適宜の電気制御によりなされるものであってもよい。
この第３の実施の形態の遊技演出役物装置３０Ｂによれば、上記した第１の実施の形態の遊技演出役物装置３０に比して、スライド体６１Ｂのスライドを多様化させたスライドとすることができて、遊技の興趣を更に高めることができる。
【００４３】
［第４の実施の形態］
次に、上記した第１の実施の形態の変形例となる第４の実施の形態について、図１６および図１７を参照しながら説明する。図１６は、第４の実施の形態の遊技演出役物装置３０Ｃを示す作動図である。詳しくは、図１６（Ａ）は、遊技演出役物装置３０Ｃの第１演出表示部６１２Ｅが視認できる状態を示す作動図である。図１６（Ｂ）は、遊技演出役物装置３０Ｃの第１演出表示部６１２Ｅおよび第２演出表示部６１２Ｆが視認できない回転中間位置に位置するのを示す作動図である。図１６（Ｃ）は、遊技演出役物装置３０Ｃの第２演出表示部６１２Ｆが視認できる状態を示す作動図である。また、図１７は、図１６に示す遊技演出役物装置３０Ｃのガイド機構６６Ｃを平面視で拡大して示す作動図である。なお、この図１７にて示す（Ａ），（Ｂ），（Ｃ）は、図１６にて示す（Ａ），（Ｂ），（Ｃ）の作動状態に対応した図面となっている。
ところで、第４の実施の形態の遊技演出役物装置３０Ｃは、図１６に示すように、上記した第１〜第３の実施の形態の遊技演出役物装置３０，３０Ａ，３０Ｂのうち、第２演出機構６０，６０Ａ，６０Ｂの構成について相違する。
【００４４】
すなわち、上記した第１〜第３の実施の形態の遊技演出役物装置３０，３０Ａ，３０Ｂの第２演出機構６０，６０Ａ，６０Ｂが奏する遊技演出は、スライド体６１をスライドさせて停止させるものであった。これに対して、第４の実施の形態の遊技演出役物装置３０Ｃの第２演出機構６０Ｃは、スライド体６１，６１Ａ，６１Ｂを、回転停止体６１Ｃに代替して構成されている。この回転停止体６１Ｃは、回転させて停止させることにより、表裏両側面に設けられた装飾形成体６１１を遊技者に対して視認させることができるようにして遊技演出を奏する。具体的には、図１７にも示すように、回転停止体６１Ｃは、回転が軸支されるように回転支持軸６４を有して構成される。なお、この回転停止体６１Ｃは、上記したモータユニット３１から伝達される回転駆動力を受けて回転駆動するようになっている。詳しく言えば、回転停止体６１Ｃは、図１１に示して上記した電動モータ３３から伝達される回転駆動力を出力する、ピニオンギヤ４２１と噛合する適宜のギヤを有して構成される。なお、このピニオンギヤ４２１を具備するピニオン４２にあっても、上記した実施の形態と同様、伝達リミット機構としてのトルクリミッタ４１を介して電動モータ３３から伝達される回転駆動力を出力するものである。なお、このようなピニオン４２からの回転駆動力の伝達は、ギヤの噛合によるものに限定されることなく、プーリと該プーリに巻回されるベルトとのベルト伝達による構成としてもよい。
【００４５】
ところで、図１７にも示すように、この回転停止体６１Ｃの下部には、この回転停止体６１Ｃの回転をガイドするガイド機構６６Ｃが設けられている。この第４の実施の形態のガイド機構６６Ｃも、上記した実施の形態のガイド機構６６と同様、ガイド溝６７Ｃと、ガイドボス６２Ｃとを具備して構成される。ただ、この第４の実施の形態の第２演出機構６０Ｃは、上記した実施の形態の第２演出機構６０とは可動方向が回転方向となっているため、このガイド機構６６Ｃのガイド形状は、この回転方向に沿ったものに設定されている。具体的には、ガイド機構６６Ｃのガイド溝６７Ｃの溝形状は、回転停止体６１Ｃの回転方向に沿って半円の円弧を描く溝形状にて形成されている。このように形成されたガイド溝６７Ｃには、ガイドボス６２Ｃが嵌挿される。このガイドボス６２Ｃは、回転停止体６１Ｃの下部から下側に向けて突出して形成されている。また、このガイド溝６７Ｃには、上記した実施の形態のガイド溝６７と同様に、内端部分がストッパ部６７１Ｃ，６７２Ｃとして形成されている。このようにして、この第４の実施の形態のガイド溝６７Ｃにあっても、上記した実施の形態と同様に、ガイド溝６７Ｃ内のストッパ部６７１Ｃ，６７２Ｃにガイドボス６２Ｃを当てさせて、回転停止体６１Ｃのそれ以上の回転を規制して回転停止体６１Ｃの回転をストップさせる。
【００４６】
この回転停止体６１Ｃの表側面の装飾形成体６１１には、第１演出表示部６１２Ｅとして単なる花柄模様の装飾形状が形成されている。これに対して回転停止体６１Ｃの裏側面の装飾形成体６１１には、第２演出表示部６１２Ｆとして『激アツ』という文字の凹凸形状の装飾形状が形成されている。これら第１演出表示部６１２Ｅおよび第２演出表示部６１２Ｆは、回転停止体６１Ｃが回転することにより見え隠れするようになっている。つまり、回転停止体６１Ｃが左回転して図１７（Ａ）に示すようにガイド溝６７Ｃの第１ストッパ部６７１Ｃにガイドボス６２Ｃを当てさせた場合には、図１６（Ａ）に示すように回転停止体６１Ｃの第１演出表示部６１２Ｅは前面側に向くようになる。これに対して回転停止体６１Ｃが右回転して図１７（Ｂ）を経由して図１７（Ｃ）に示すようにガイド溝６７Ｃの第２ストッパ部６７２Ｃにガイドボス６２Ｃを当てさせた場合には、図１６（Ｃ）に示すように回転停止体６１Ｃの第２演出表示部６１２Ｆは前面側に向くようになる。
【００４７】
なお、この回転停止体６１Ｃが図１６（Ｂ）に示す回転中間位置に位置している場合には、第１演出表示部６１２Ｅおよび第２演出表示部６１２Ｆは、図示するように遊技者に見えないように側方に向くようになる。なお、このような回転停止体６１Ｃの回転停止を含む遊技演出は、上記した電動モータ３３の駆動制御によりなされるものであってもよい。なお、図１６（Ｂ）および図１７（Ｂ）に示すように回転停止体６１Ｃを位置させた場合には、遊技者は、第１演出表示部６１２Ｅおよび第２演出表示部６１２Ｆを視認することができなくなる。
この第４の実施の形態の遊技演出役物装置３０Ｃによれば、上記した第１〜第３の実施の形態の遊技演出役物装置３０，３０Ａ，３０Ｂの第２演出機構６０，６０Ａ，６０Ｂとは相違して、回転停止体６１Ｃを回転させて停止させることにより、表裏両側面に設けられた装飾形成体６１１を遊技者に対して視認させることができるようにして、上記した第１〜第３の実施の形態の遊技演出役物装置３０，３０Ａ，３０Ｂとは相違する遊技演出を奏することができる。
【００４８】
なお、本発明に係る遊技演出役物装置にあっては、上記した実施の形態に限定されるものではなく、次のように適宜個所を変更して構成するようにしてもよい。
例えば、上記した実施の形態におけるパチンコ遊技機１０の遊技演出役物装置３０にあっては、第１演出機構５０は電動モータ３３からの回転駆動力を受けて回転体５１を連続的に回転させるように構成しており、第２演出機構６０は電動モータ３３からの回転駆動力を受けてスライド体６１を断続的にスライドさせるように構成するものであった。しかしながら、本発明に係る第２演出機構は、上記した例に限定されることなく、電動モータからの回転駆動力を受けて可動部位を断続的に可動させる構成であれば、適宜の構成を採用することができる。すなわち、本発明に係る可動部位にあっては、上記した第４の実施の形態で説明した回転停止体６１Ｃのように、回転させて停止させるような可動にて構成されるものであってもよい。つまり、本発明に係る第２演出機構の構成としては、可動させるための構成については適宜に選択可能であり、さらに複合的（２以上）に可動させるための構成についても適宜に選択可能である。
また、上記した実施の形態におけるパチンコ遊技機１０の遊技演出役物装置３０にあっては、ストッパ部についてはガイド機構に対して設けられるものであった。しかしながら、本発明に係るストッパ部は、このような例に限定されることなく、可動部位が可動範囲の限界に到達した場合に、この可動部位の可動を規制するために可動部位の一部と当たるように構成されればよいものである。
また、電動モータ３３の回転駆動制御にあっても、上記した実施の形態に限定されることなく、上記した回転検出機構４８による検出に基づいて適宜に電動モータ３３の回転駆動を制御するものであってもよい。
さらに言えば、上記した実施の形態にあっては、箱形カバー体５９，５９Ａが設置される例について説明したが、本発明に係る遊技演出役物装置を構成するにあたって、上記した箱形カバー体５９，５９Ａが設置されていなくても良いものである。
【００４９】
また、上記した実施の形態のスライド体６１，６１Ａの演出表示部６１２，６１２Ａ，６１２Ｂにあっては、凹凸形状の装飾形状にて形成されるものであった。しかしながら、本発明に係る演出表示部の構成としては、これに限定されることなく、例えば、上記した表示装置２２のように、液晶画面や、ドットマトリクス画面や、７セグメント画面で構成されるものであってもよい。このような画面で演出表示部を構成した場合には、遊技演出を多彩にすることができる。
さらに、上記した実施の形態の第２演出機構６０，６０Ａにあっては、電動モータ３３からの回転駆動力を受けてスライド体６１を断続的にスライドさせる方向は、遊技盤２０に対して左右方向に設定されるものであった。しかしながら、本発明に係る第２演出機構のスライド方向としては、これに限定されることなく、例えば遊技盤に対して前後方向に設定されるものや、遊技盤に対して上下方向に設定されるものであってもよい。
また、上記した実施の形態の第２演出機構６０，６０Ａのスライド体６１，６１Ａのスライドは、回転体５１の回転始動と同時になされるものとして説明していた。しかしながら、本発明に係る第２演出機構のスライド体のスライドは、このような回転体の回転始動と同時になされるもの限定されることなく、例えば回転体の回転動作の切替えに応じてスライドが開始するものであってもよい。例えば、スライド体をスライドさせずに回転体だけを一定方向に回転させておき、この回転体の回転動作が反転方向で切り替わった際に、スライド体のスライドが開始するように構成されるものであってもよい。つまり、回転体が一定方向に回転している場合には、上記した伝達リミット機構（トルクリミッタ）により、内輪側から外輪側に伝達される回転駆動力の伝達トルクは規定の伝達トルクを超えて、内輪側から外輪側に向けて回転駆動力を伝達しない、回転駆動力の伝達を遮断した状態となっている。
【符号の説明】
【００５０】
１０  パチンコ遊技機
１１  外枠
１２  前枠
１３  連結部材
１４  発射装置
１５  上皿
１６  下皿
２０  遊技盤
２１  遊技領域
２２  表示装置
２３  始動入賞口
２４  大当り入賞口
２５  発射ガイドレール
２６  普通入賞口
２７  風車
３０，３０Ａ，３０Ｂ，３０Ｃ  遊技演出役物装置
３１  モータユニット
３２  ベース
３２１  軸受け部
３２２  軸支孔
３３  電動モータ
３４  駆動ギヤ
３５  ギヤ構造
３６  ギヤカバー
３６１  螺子孔
３６２  軸支孔
３７  出力ギヤ
３７１  下側軸支部
３７２  嵌合孔
３８  伝達軸支ピン
３９  螺子部材
４０  係合ピン
４１  トルクリミッタ（伝達リミット機構）
４２  ピニオン
４２１  ピニオンギヤ
４３  摺動ブッシュ
４５  回転支持ユニット
４６  組付けベース
４７  軸受け部
４８  回転検出機構
４９  検出器
５０  第１演出機構
５１  回転体（回転部位）
５２  上側軸部
５３  円筒部
５４  回転体ギヤ
５５  下側軸部
５６  シャフト
５７  被検出部
５８  模様形状
５９，５９Ａ  箱形カバー体
５９１，５９１Ａ  前面開口部
５９２，５９２Ａ  側面開口部
６０，６０Ａ，６０Ｂ，６０Ｃ  第２演出機構
６１，６１Ａ，６１Ｂ  スライド体（可動部位）
６１Ｃ  回転停止体（可動部位）
６１１  装飾形成体
６１２  演出表示部
６１２Ａ，６１２Ｃ  左側演出表示部
６１２Ｂ，６１２Ｄ  右側演出表示部
６１２Ｅ  第１演出表示部
６１２Ｆ  第２演出表示部
６２，６２Ｃ  ガイドボス
６３  ラック部材
６３１  ラックギヤ
６４  回転支持軸
６５  ガイド支持体
６６，６６Ｃ  ガイド機構
６７，６７Ｃ  ガイド溝
６７１  左側ストッパ部
６７２  右側ストッパ部
６７１Ｃ，６７２Ｃ  ストッパ部
６８  留具
６９  螺子部材
【図１】
0005829104.tif 000002
【図２】
0005829104.tif 000003
【図３】
0005829104.tif 000004
【図４】
0005829104.tif 000005
【図５】
0005829104.tif 000006
【図６】
0005829104.tif 000007
【図７】
0005829104.tif 000008
【図８】
0005829104.tif 000009
【図９】
0005829104.tif 000010
【図１０】
0005829104.tif 000011
【図１１】
0005829104.tif 000012
【図１２】
0005829104.tif 000013
【図１３】
0005829104.tif 000014
【図１４】
0005829104.tif 000015
【図１５】
0005829104.tif 000016
【図１６】
0005829104.tif 000017
【図１７】
0005829104.tif 000018